(57)【要約】【課題】インターネット上には利用時、会員登録してからログインが必要なオンラインシステムが多数存在しており、いちいち登録、ログインするのがとても面倒である。また、従来のオンラインシステムは自分のシステムの登録ホームページから登録人数を増やすことしかできない。また、利用時登録とログインの必要な複数のオンラインシステムが提供するサービスを一つのオンラインシステムが効率的にまとめて提供するのが難しい。【解決手段】本願発明はクライアントがインターネット上において、一回の登録で複数のオンラインシステムへ自動的に同時登録、あるいは一回のログイン入力で複数のオンラインシステムへ自動ログインができるようにしたものである。【選択図】        図２
2004280764.tif 000002
【特許請求の範囲】
【請求項１】
インターネット上において、Ａ（一つのオンラインシステム、以下同）の新規登録のホームページからクライアントが登録ボタンを押すと、クライアントが新規登録のホームページから入力したＩＤ、パスワード、メールアドレス、氏名…などの登録情報データが、各クライアント毎に一つのレコード単位として管理するＡのログイン認証データベースに登録される。同時に、クライアントから入力された登録情報データに基づくＡによってＢ（Ａ以外の一つあるいは複数のオンラインシステム、以下同）の登録フォーマットに対応するように修正添削された登録情報データがインターネットを通じて、ＡからＢのログイン認証データベースへ送信される。そして、送られてきた登録情報データがＢのログイン認証データベースにも自動的に登録されるのを特徴とする複数のオンラインシステムに対してのログイン情報の同時登録及び同時ログイン方法。
【請求項２】
インターネット上において、Ａ（一つのオンラインシステム、以下同）の新規登録のホームページからクライアントが登録ボタンを押すと、クライアントが新規登録のホームページから入力したＩＤ、パスワード、メールアドレス、氏名…などの登録情報データが、各クライアント毎に一つのレコード単位として管理するＡのログイン認証データベースに登録される。同時に、その中でＢ（Ａ以外の一つあるいは複数のオンラインシステム、以下同）にログインするとき必要な登録情報データ（例えＩＤとパスワード）が、必要に応じてＢのログインフォーマットに対応するように修正され、Ａのログイン認証データベースあるいはＡの拡張ログイン認証データベースに登録されるのを特徴とする請求項１に記載の複数のオンラインシステムに対してのログイン情報の同時登録及び同時ログイン方法。
【請求項３】
クライアントがインターネットを通じてＡ（一つのオンラインシステム、以下同）にログインする際、Ａへログインされる同時に、Ａにログインしたクライアントの、一つのレコード単位あるいは一つレコードの構成部分として管理されているＢ（Ａ以外のほかの一つあるいは複数のオンラインシステム、以下同）にログインするとき必要なログイン認証データ（請求項１、請求項２で記述した方法などで、登録できる）が、インターネットを通じＡの認証データベースからＢへ送信される。そして、送られてきたログイン認証データに対応するログイン認証データがＢの認証データベースから抽出された否かによってＢへのログイン可否を確認する複数のオンラインシステムに対しての同時登録及び同時ログイン方法。
【請求項４】
クライアントがインターネットを通じてＡ（一つのオンラインシステム、以下同）にすでにログインした状態で、Ａのホームページ上に存在する、Ｂ（Ａ以外のほかの一つあるいは複数のオンラインシステム、以下同）へのリンクをクリックした時点で、Ａにログインしたクライアントの、一つのレコード単位としてあるいは一つのレコードの構成部分として管理されているＢにログインするとき必要な認証データが、インターネットを通じＡの認証データベースからＢへ送信される。そして、送られてきたログイン認証データに対応する認証データがＢの認証データベースから抽出された否かによってＢへのログイン可否を判断する複数のオンラインシステムに対しての同時登録及び同時ログイン方法。
【請求項５】
クライアントがＡを通じてＢに登録、あるいはＢにログインするとき、Ｂへの登録、あるいはＢへのログインが何らかの原因で失敗した場合、Ａはその旨をクライアントに知らせるのを特徴とする請求項１、請求項２、請求項３、請求項４に記載の複数のオンラインシステムに対してのログイン情報の同時登録及び同時ログイン方法。
【発明の詳細な説明】
【０００１】
【発明の属する技術分野】
本願発明はインターネット上クライアントが一回の登録で、複数のオンラインシステムへ同時登録、あるいは一回のログインで複数のオンラインシステムへの同時ログインができる同時登録及び同時ログイン方法である。
【０００２】
【従来の技術】
インターネット上には利用時、会員登録してログインが必要なオンラインシステムが多数存在しており、利用するときはオンラインシステムごとに別々登録、ログインするのはとても面倒である。
【０００３】
また、システム側から見て、従来のオンラインシステムは自分のシステムの登録ホームページから登録人数を増やすことしかできない。
【０００４】
また、利用時登録とログインの必要な複数の異なるオンラインシステムが提供するサービスを一つのオンラインシステムが効率的にまとめて提供するのが難しい。
【０００５】
【発明が解決しようとする課題】
本願発明はクライアントが一回の登録で、複数のオンラインシステムへ自動的に同時登録及び一回のログインで複数のオンラインシステムへのログインが自動的にできる方法である。従って、クライアントをいちいちの登録とログインの面倒さから開放させ時間と労力の節約になる。
【０００６】
また、請求項１に述べた同時登録方法によりＡ（一つのオンラインシステム、以下同）が登録会員を増やす都度、Ｂ（Ａ以外のほかの一つあるいは複数のオンラインシステム、以下同）も登録会員を増やしたことになる。これはＢが独自だけで会員数を増やす従来のやり方と比べて効率がよく、登録会員数を増やす有効な方法である。
【０００７】
また、複数の異なるオンラインシステムへの登録、ログインが一つのオンラインシステムから行うことができ、システム側はクライアントに対し複合的かつ効率的なサービスが提供できる。
【０００８】
【課題を解決するための手段】
本願発明はクライアントがインターネット上において、一回の登録で複数のオンラインシステムへ自動的に同時登録、あるいは一回のログイン入力で複数のオンラインシステムへ自動ログインができるようにしたものである。
【０００９】
【発明の実施の形態】
本願発明はインターネット上において、Ａ（一つのオンラインシステム、以下同）の新規登録のホームページからクライアントが登録ボタンを押すと、クライアントが新規登録のホームページから入力したＩＤ、パスワード、メールアドレス、氏名…などの登録情報データが、各クライアント毎に一つのレコード単位として管理するＡのログイン認証データベースに登録される。同時に、クライアントから入力された登録情報データに基づくＡによってＢ（Ａ以外の一つあるいは複数のオンラインシステム、以下同）の登録フォーマットに対応するように修正添削された登録情報データがインターネットを通じて、ＡからＢのログイン認証データベースへ送信される。そして、送られてきた登録情報データがＢのログイン認証データベースにも自動的に登録されるようにしたものである。
【００１０】
本願発明はインターネット上において、Ａ（一つのオンラインシステム、以下同）の新規登録のホームページからクライアントが登録ボタンを押すと、クライアントが新規登録のホームページから入力したＩＤ、パスワード、メールアドレス、氏名…などの登録情報データが、各クライアント毎に一つのレコード単位として管理するＡのログイン認証データベースに登録される。同時に、その中でＢ（Ａ以外の一つあるいは複数のオンラインシステム、以下同）にログインするとき必要な登録情報データ（例えＩＤとパスワード）が、必要に応じてＢのログインフォーマットに対応するように修正され、Ａのログイン認証データベースあるいはＡの拡張ログイン認証データベースに登録されるようにしたものである。
【００１１】
本願発明はクライアントがインターネットを通じてＡ（一つのオンラインシステム、以下同）にログインする際、Ａへログインされる同時に、Ａにログインしたクライアントの、一つのレコード単位あるいは一つレコードの構成部分として管理されているＢ（Ａ以外のほかの一つあるいは複数のオンラインシステム、以下同）にログインするとき必要なログイン認証データ（請求項１、請求項２で記述した方法などで、登録できる）が、インターネットを通じＡの認証データベースからＢへ送信される。そして、送られてきたログイン認証データに対応するログイン認証データがＢの認証データベースから抽出された否かによってＢへのログイン可否を確認するようにしたものである。
【００１２】
また、本願発明は
【００１１】で述べた方法に代わり、クライアントがインターネットを通じてＡ（一つのオンラインシステム、以下同）にすでにログインした状態で、Ａのホームページ上に存在する、Ｂ（Ａ以外のほかの一つあるいは複数のオンラインシステム、以下同）へのリンクをクリックした時点で、Ａにログインしたクライアントの、一つのレコード単位としてあるいは一つのレコードの構成部分として管理されているＢにログインするとき必要な認証データが、インターネットを通じＡの認証データベースからＢへ送信される。そして、送られてきたログイン認証データに対応する認証データがＢの認証データベースから抽出された否かによってＢへのログイン可否を判断するようにしたものでもある。
【００１３】
本願発明はインターネット上、Ｂが、Ａに自分のシステムへのリンクと認証データベースへの登録手段、ログイン手段を提供することにより、あるいはＡ上にＢへ自動的に登録、ログインできるプログラムが組まれていることにより、クライアントがＡに一回登録、一回ログインするだけで、Ｂへの登録、ログインが自動的にできるようにしたものでもある。
【００１４】
本願発明は、請求項２と請求項３に述べた方法で、オンラインシステムにログインしたクライアントの、ＡとＢに対するログイン回数、接続時間などの接続情報を、ＡがＡのデータベースに一つのレコードあるいは一つのレコードの構成部分として記録してなるようにしたものである。
【００１５】
本願発明は、請求項２と請求項３に述べた方法で、オンラインシステムにログインしたクライアントのＢに対するログイン回数、接続時間などの接続情報を、ＢがＢのデータベースに一つのレコードあるいは一つのレコードの構成部分として記録してなるようにしたものである。
【００１６】
【実施例】
インターネット上、オンラインブックマークサービスを提供するサーバー（請求項４のＢに相当）が、登録及びログインページが設置された他のサーバー（請求項４のＡに相当）に自分のサーバーへのリンクと認証データベースへの登録手段、ログイン手段を提供することにより、あるいは他のサーバー（請求項４のＡに相当）がオンラインブックマークサービスを提供するサーバー（請求項４のＢに相当）へ自動的に登録及びログインができるプログラムを含んであることにより、請求項４のＡに相当する登録及びログインページが設置されたサーバーは当サーバーに登録及びログインしたユーザに対しオンラインブックマークを提供するサーバーへ再び登録及びログインすることなく、オンラインブックマークサービスが受けるようにすることができる。
【００１７】
オンラインブックマークを提供するサーバー（請求項４のＢに相当）は、他の登録及びログインページが設置されたサーバー（請求項４のＡに相当）が請求項１、請求項２に述べた同時登録方法により登録会員を増やす都度、オンラインブックマークサーバーへの登録会員も増やしたことになる。これはオンラインブックマークサーバーが独自だけで会員数を増やす従来のやり方と比べて、効率が著しくよいのである。
【００１８】
また、
【００１６】でオンラインブックマークサーバーに替わり、有料情報発信サービスを提供するサーバーの場合、
【００１４】と
【００１５】で述べた実施の形態によりサーバーの間あるいはサーバーとクライアントの間でサービス利用の料金決算ができる。
【００１９】
また、もう一つの実施例として、複数のリクルートサイトへ同時登録、同時ログインができるリクルートサイトが挙げられる。インターネット上で複数のリクルートサイトに別々登録し別々ログインする求職者が多い。しかし、複数の求人サイトにいちいち登録、ログインするのはとても面倒で時間と労力が要る。請求項１、請求項２、請求項３、請求項４、請求項５の方法を用いて、複数のリクルートサイトへの同時登録、同時ログインができる効率よいリクルートサイトが実現できる。
【００２０】
【発明の効果】
以上説明したように、本願発明はクライアントが一回の登録で、複数のオンラインシステムへ同時登録、あるいは一回のログインで複数のオンラインシステムへのログインが簡単にでき、クライアントをいちいちの登録、ログインの面倒さから開放させ時間と労力の節約になる。
【００２１】
また、オンラインサービスを提供するサーバー側から見て、請求項１、請求項２に述べた同時登録方法によりＡが登録会員を増やす都度、Ｂも登録会員を増やしたことになる。これはＢが独自だけで会員数を増やす従来のやり方と比べて効率がよく、登録会員数を増やす有効な方法である。
【００２２】
また、異なるオンラインサービスへの登録、ログインが一つのオンラインシステムから行うことができ、複合的かつ効率的なサービスが提供できる。
【図面の簡単な説明】
【図１】複数のオンラインシステムに対し、ログイン情報同時登録方法を説明する概略図。
【図２】複数のオンラインシステムに対し、同時ログイン方法を説明する概略図。
【符号の説明】
０１…インターネットに繋がっているクライアントのパソコン。
０２…Ａ（一つのオンラインシステム、以下同）。
０３…Ａのデータベース。
０４…Ｂ（Ａ以外のほかの一つあるいは複数のオンラインシステム、以下同）。
【図】では簡略のため一つのオンラインシステム図で代替。
０５…Ｂのデータベース。
０６…インターネット。
０７…クライアントがインターネットを通じＡのデータベースに登録情報データを登録する。
０８…認証データが、インターネットを通じて、Ｂのログイン認証データベースに自動的に登録される。
０９…クライアントがＡへログインする
１０…Ａがログインしたクライアントに対しサービスを提供する。
１１…Ａにログインしたクライアントの、Ｂにログイン時必要な認証データが、インターネットを通じＢへ送信される。
１２…Ａから送られた認証データに対応する認証データがＢのデータベースから抽出された場合Ｂはクライアントに対しサービスを提供する。
【図１】
2004280764.tif 000003
【図２】
2004280764.tif 000004